(57)【特許請求の範囲】
【請求項１】
カップ等の容器（９ａ）上面に載置可能な濾過具本体（１）と、内部にコーヒー、紅茶等を収容可能な袋体（５ａ）とからなり、前記容器（９ａ）上面に濾過具本体（１）を載置し前記袋体（５ａ）に熱湯等を注ぐことにより抽出液を容器内部に流下すべく濾過具本体（１）に前記袋体（５ａ）が取り付けられた濾過具であって、前記濾過具本体（１）は一対の帯片（２）を環状に拡開可能に形成されてなり、該帯片（２）には、中央部に夫々容器（９ａ）上部を外側より挟持可能な一対の挟持部（４）が設けられてなり、且つ、該挟持部（４）の上側には容器（９ａ）の開口部上縁と当接可能な載置部（３ａ）が突設されてなる濾過具であり、前記載置部（３ａ）が載置片（３）から構成されると共に該載置部（３ａ）のほぼ中央部（３ｂ）内面と前記袋体（５ａ）の外面とが貼着されており、さらに前記載置片（３）に少なくとも２本の折れ込み筋（３ｄ）を形成してなることを特徴とする濾過具。
【請求項２】
請求項１に記載の濾過具において、前記載置片（３）に形成されている少なくとも２本の折れ込み筋のうち最も内側に形成されている２本の折れ込み筋（３ｄ）の間で前記載置部（３ａ）と前記袋体（５ａ）とが貼着（３ｂ）されていることを特徴とする濾過具。
【請求項３】
請求項  １または２に記載の濾過具において、前記載置片（３）の両端に２本の折れ込み筋（３ｃ）が形成されており、さらにその内側に２本の折れ込み筋（３ｄ）が形成されていて、前記内側の２本の折れ込み筋（３ｄ）のほぼ中央部において前記載置部（３ａ）と前記袋体（５ａ）とが貼着（３ｂ）されていることを特徴とする濾過具。
【請求項４】
請求項１乃至３のいずれかに記載の濾過具において、折れ込み筋（３ｃ、３d）が、貫通部分と非貫通部分とが交互にあるミシン目からなることを特徴とする濾過具。
【請求項５】
請求項４に記載の濾過具において、前記貫通部分が折れ込み筋（３ｃ、３ｄ）の長さの５０％以上であることを特徴とする濾過具。
【請求項６】
請求項１乃至５のいずれかに記載の濾過具において、前記載置部（３ａ）と前記袋体（５ａ）とが熱板シール、超音波シール、ホットメルトのいずれかにより貼着されていることを特徴とする濾過具。
【請求項７】
請求項１乃至５のいずれかに記載の濾過具において、前記袋体（５ａ）と貼着する前記載置部（３ａ）の貼着部の表面にポリエチレンコートを施してなることを特徴とする濾過具。
【請求項８】
請求項１乃至５のいずれかに記載の濾過具において、前記載置部（３ａ）と貼着する部位の前記袋体（５ａ）は、不織布またはパルプにポリプロピレンおよび／またはポリエチレン繊維を混和し抄紙して構成されてなることを特徴とする濾過具。
【請求項９】
請求項１乃至５のいずれかに記載の濾過具において、前記載置部（３ａ）と前記袋体（５ａ）との接着部の形状が直径２〜１５ｍｍの大きさのほぼ円形状、３〜１２ｍｍのほぼ正方形状、または１〜７ｍｍの辺と３〜２０ｍｍの辺の長さを有するほぼ長方形状、のいずれかであることを特徴とする濾過具。
【請求項１０】
請求項９に記載の濾過具において、前記載置部（３ａ）と前記袋体（５ａ）との貼着部の個数が１乃至３個であることを特徴とする濾過具。
【発明の詳細な説明】
【０００１】
【発明の属する技術分野】
本発明は、濾過具さらに詳しくは、コーヒー、紅茶等の使い捨て可能な濾過具に関する。
【０００２】
【従来の技術】
従来より、カップ等の容器上面に載置可能な濾過具本体と、内部にコーヒー、紅茶等を収容可能な袋体とからなる濾過具が幅広く使用されている。この種の濾過具は、容器上面に濾過具本体を載置し、前期袋体に熱湯等を注ぐことにより抽出液を容器内部に流下させるものである。
【０００３】
この種の濾過具としては、特許第３０３２７２４号公報記載のものが公知である。該公報記載の従来のコーヒー等の濾過具（図５）は、濾過具本体１と濾過袋５からなり、図６に示すように、まず、両帯片２，２を拡開し、環状にして、カップ９等の容器９ａの上部の外側面に挟持部４の内側面が当接するよう、濾過具本体１をカップ９に取り付ける。このようにカップ９に濾過具本体１を取り付けた後に、載置片３の中央付近を押し、カップ９の内側方向に載置片３を突出させて載置部３ａを形成する。その際、中央の谷折線３ｃ、両端の山折線３ｄ，３ｄが設けられているので、容易で且つ確実に載置部３ａを形成することができる。載置片３の中央付近を押し込み載置部３ａを形成した後、該載置部３ａ下縁をカップ９の開口部上縁に当接させることで、濾過具本体１をカップ９に載置して固定する。
【０００４】
このように濾過具本体１をカップ９に載置したのち、濾過袋５にコーヒーの粉末、紅茶等の所定のものを収容して、前記濾過袋５に熱湯等を注ぐことにより、抽出液がカップ９内に流下する。
【０００５】
【発明が解決しようとする課題】
前記公報記載の濾過具では、図５に示すように帯片２、２を拡開すると、谷折線３ｃ，山折線３ｄ、３ｄが設けられているので、濾過袋５の上部が剥離されて、帯片２は環状になるが、載置片３には中央部に谷折線３ｃが設けられ、且つ、両端部に山折線３ｄ，３ｄが設けられていて、載置片３の折り曲げが容易且つ確実になるように加工されているものの、上記拡開に際し載置片３も帯片２の輪郭に沿って同時に環状に形成されるという現象が生じた。
【０００６】
このため、載置部３ａを形成するに至らないため、該載置部３ａ下縁をカップ９の開口部上縁に当接させ濾過具本体１をカップ９に載置して固定するためには、指先等により載置片３を内側に押す動作が必要になり、使用時の簡便性を売り物にする濾過具においてなお手間を要する点が課題であった。
【０００７】
本発明は、以上のような問題点を解決するためになされたもので、拡開してコップ等に極めて取り付け易く且つそのままコップに安定して固定することができる手間の要らない濾過具を提供することを課題とする。
【０００８】
【課題を解決するための手段】
上記課題を解決するためになされた本発明に係わる請求項１記載の濾過具は、カップ等の容器（９ａ）上面に載置可能な濾過具本体（１）と、内部にコーヒー、紅茶等を収容可能な袋体（５ａ）とからなり、容器（９ａ）上面に濾過具本体（１）を載置し袋体（５ａ）に熱湯等を注ぐことにより抽出液を容器内部に流下すべく濾過具本体（１）に袋体（５ａ）が取り付けられた濾過具であって、濾過具本体（１）は一対の帯片（２）を環状に拡開可能に形成されてなり、帯片（２）には、中央部に夫々容器（９ａ）上部を外側より挟持可能な一対の挟持部（４）が設けられてなり、且つ、挟持部（４）の上側には容器（９ａ）の開口部上縁と当接可能な載置部（３ａ）が突設されてなる濾過具であり、載置部（３ａ）が載置片（３）から構成され載置部（３ａ）のほぼ中央部内面と袋体（５ａ）の外面とが貼着されており、載置片（３）に少なくとも２本の折れ込み筋（３ｄ）を形成してなることを特徴とする。
【０００９】
本発明においては、載置片（３）に少なくとも２本の折れ込み筋（３ｄ）が形成されており、複数の折れ込み筋のうち最も内側に形成されている２本の折れ込み筋（３ｄ）の間で載置部（３ａ）と袋体（５ａ）とが貼着（３ｂ）されていることが好ましい。
【００１０】
このように、載置部（３ａ）のほぼ中央部内面と前記袋体（５ａ）とが貼着されているので、そして、載置片（３）には少なくとも２本の折れ込み筋（３d）が形成されているので、帯片２、２を拡開した時載置部（３ａ）が折れ込み筋（３Ｃ，３d）に沿って内側に自動的に退行することで容易に形成することができる。また、載置片（３）と濾過袋（５）を容易に剥離できる程度の強度で接着（３ｂ）することにより、濾過具本体（１）の両帯片（２、２）を拡開し、環状にすると、少なくとも２本の谷折線（３ｃ、３ｃ）の折れ込み線がそれぞれ自動的に形成されることを特徴とする。
【００１１】
本発明において、載置片（３）の両端に２本の折れ込み筋（３ｃ）が形成されており、さらにその内側に２本の折れ込み筋（３d）が形成されていて、内側の２本の折れ込み筋（３d）のほぼ中間部において載置部（３ａ）と袋体（５ａ）とが貼着（３ｂ）されていることが好ましい。
【００１２】
このように、載置片（３）の両端に２本の折れ込み筋（３d）が形成されているので、濾過具本体（１）の両帯片（２、２）を拡開し、環状にすると、山折線（３d、３d）の山折り線と少なくとも２本の谷折線（３ｃ）の折れ込み線がそれぞれ自動的に折れて載置部（３ａ）が形成されることを特徴とする。
【００１３】
さらに、本発明において、折れ込み筋（３ｃ，３d）は、貫通部分と非貫通部分とが交互にあるミシン目からなることが好ましい。このような構成にすることによって、摘み部Ａ，Ａを摘んで帯片（２、２）を拡開すると、載置片（３）の内側への折り曲げがさらに容易になる。貫通部分は、折れ込み筋（３ｃ、３d）全体の長さの５０％以上であるのが好ましく、７５％以上であることがさらに好ましい。
【００１４】
本発明において、載置部（３ａ）と袋体（５ａ）との接着（３ｂ）は、熱板シール、超音波シール、あるいはホットメルトによりなされることが好ましい。すなわち、帯片２、２を拡開したとき、袋体（５ａ）に引張られて内側へ折り曲げられた載置片（３）が手指により内側に押す操作がなくても自動的に形成される程度の貼着強度であればよいため、ノリなどでなくとも前記の貼着方法でよいのである。
【００１５】
袋体（５ａ）と貼着する載置部（３ａ）の貼着面にポリエチレンコートが施されていることが好ましい。
さらに本発明においては、載置部（３ａ）と接着する部位の袋体（５ａ）が、不織布またはパルプにポリプロピレンおよび／またはポリエチレンの繊維を混同し抄紙した複合材料シートで構成されることが好ましい。
【００１６】
本発明の濾過具において、載置部（３ａ）と袋体（５ａ）との貼着部（３ｂ）の形状は直径２〜１５ｍｍの大きさのほぼ円形状、３〜１２ｍｍのほぼ正方形状、１〜７ｍｍの辺と３〜２０ｍｍの辺の長さを有するほぼ長方形状、のいずれかであることが好ましく、接着部の個数は１乃至３個であることが好ましい。
【００１７】
【発明の実施の形態】
次に本発明の濾過具の一実施形態について図１、図２に示す如く、濾過具本体１と濾過袋５とからなる濾過具について説明する。
【００１８】
濾過具本体１は、二つの帯片（２）が両端部の折曲部（２ａ）で互いに連結された形態からなる。具体的には、該濾過具本体（１）は、帯状の厚紙、防水加工を施した紙、プラスチックス製シート等の剛性を有する材質のシートを環状に連結して、この環状のシートを前記折曲部（２ａ）で折り畳むことにより、二つの帯片（２）が環状に拡開するように形成されている。
【００１９】
ここで、濾過具本体（１）（帯片２）は復元力を有する材料からなるため、拡開すると元の折り畳まれた状態に戻ろうとして両帯片（２，２）には互いに他の帯片側に向かう力が働く。
【００２０】
夫々の帯片（２）には、中央下端より挟持部（４）が突設されており、両帯片（２，２）を拡開して濾過具本体（１）をカップ（９）を挟持するように載置する際に、前記一対の挟持部（４，４）と該一対の挟持部（４，４）の上側付近の帯片（２，２）により、カップ（９）は確実に挟持される。
【００２１】
ここで、挟持部（４）と該挟持部（４）の上側付近に位置する帯片（２）の一部は、濾過具本体（１）をカップ（９）に取り付ける際にその内側面がカップ（９）の側面上部に当接し、カップ（９）を挟持する。
【００２２】
前記帯片（２）の下側の中央付近には夫々挟持部（４）が設けられ、該挟持部（４）の上側には、窓部（７）が設けられている。また、該窓部（７）の下縁（７ａ）と一定隙間を開けるべく切欠部（８）が図１の横方向に設けられている。そして、該窓部（７）と前記切欠部（８）の上縁に囲まれた領域に、谷方向（他方の帯片２側）に折り曲げ可能である載置片（３）が形成されている。該載置片（３）には中央部寄りに谷折線（３ｄ、３ｄ）が設けられており、且つ、両端部に山折線（３ｃ、３ｃ）が設けられており、載置片（３）の折り曲げが容易に且つ確実になるように加工されている。
【００２３】
そして、このように構成された前記帯片（２）の中央部付近には濾過紙等からなる袋体（５ａ）（以下、濾過袋（５）という）の取り付け部が夫々貼着されて、濾過袋（５）が貼着部（３ｂ）で帯片（２）に取り付けられている。
【００２４】
このように、濾過袋（５）の上縁は帯片（２）の中央部付近に取り付けられているので、一対の帯片（２）の拡開で、焙煎粉砕したコーヒー等を収容した濾過袋（５）はカップ（９）内で中央付近に位置することになり、コーヒー粉末等を収容した濾過袋（５）の自重が帯片（２，２）を引き寄せるのでカップ（９）を挟持する力が更に強くなる。
【００２５】
次に、前述のように構成された濾過具の使用方法について図３，４に基づいて説明する。
まず、摘み部（Ａ，Ａ）を摘んで両帯片（２，２）を拡開し、環状にして、カップ（９）等の容器（９ａ）の上部の外側面に挟持部（４）の内側面が当接するよう、濾過具本体（１）をカップ（９）に取り付ける。このようにカップ（９）に濾過具本体（１）を取り付けると、載置片（３）に設けた複数の折れ込み筋の屈曲でカップ（９）の内側方向に載置片（３）は自動的に突出して載置部（３ａ）を形成する。その際、山折線（３ｃ、３ｃ）、谷折線（３ｄ，３ｄ）が設けられているので、容易で且つ確実に載置部（３ａ）を形成することができる。載置部（３ａ）を形成した後、該載置部（３ａ）下縁がカップ（９）の開口部上縁に当接されることで、濾過具本体（１）はカップ（９）に載置固定される。
【００２６】
本発明では，帯片（２）の載置片（３）と袋体（５ａ）とが弱い接着力であっても帯片（２）の拡開で載置片（３）が機能する、すなわち折り返りして一旦折り返ればた易くは元に戻らないように構成されている。
【００２７】
形状、寸法は限定されるものではないが好適な数値を例示して以下にこの構成を説明する。先ず、載置片（３）の上縁（７ａ）を曲率半径で約４０〜６０ｍｍ前後にとることで、稍厚手の帯片（２）の載置片（３）は一度の折り返しで戻りにくくなる。また、ミシン目の折れ込み筋（３ｄ）の垂直線に対する角度αを２０゜〜４０゜にすると載置片（３）は袋体（５ａ）との接着力で内側に引張られたとき、カップ（９）の入り口に載置部（３ａ）が入り易い角度に内折れする。
【００２８】
この場合折れ込み筋（３ｄ）の角度αと外側に設けられた折れ込み筋（３ｃ）の垂直線に対する角度βとに角度の差をつけ、例えばα＝β+約１０°で表わされるようにβを１０°〜３０°にすることが好ましい。このように、ミシン目の折れ込み筋（３ｃ）、（３ｄ）は４本設けることで、貼着部（３ｂ）における接着力で載置片（３）が内折れするとき、屈折による干渉がなくスムーズに折れる。そして、４本の折れ込み筋を有する載置片（３）の下縁（３ａ）が載置部をなし、この載置部（３ａ）がカップ（９）の上縁（９ｂ）と接することになる。
【００２９】
このように濾過具本体（１）をカップ（９）に載置したのち、コーヒーの粉末、紅茶等の所定のものを収容した濾過袋（５）に熱湯等を注ぐことにより、抽出液がカップ（９）内に流下する。
【００３０】
また、図３に示すように、紅茶用のカップ等、カップの上縁が外側に開いた場合には、切欠部（８）があるので、カップの鍔（上縁）（９ｂ）が切欠部（８）に入り込み、上下方向にも安定した状態でカップ（９）に載置することができる。こうして、カップ（９）に対して濾過具本体（１）に上方への力がかかっても、濾過具本体（１）が不用意に傾いたりカップ（９）から脱落することがない。
【００３１】
【発明の効果】
本発明の効果として、本濾過具をカップに載せる時、濾過具本体１の両帯片２、２を拡開させると環状になり、併せて谷折線３ｄ、谷折線３ｄ、山折線３ｃ、山折線３ｃにより載置部（３ａ）が自動的に形成され、手指で押さなくても簡便に使用できる使い易い濾過具を得た。
【図面の簡単な説明】
【図１】本発明の濾過具の一実施形態を示す正面図。
【図２】本発明の濾過具の使用態様図。
【図３】本発明の濾過具の使用時の操作を説明するための一部側面図。
【図４】本発明の濾過具の使用状態を示す斜視図。
【図５】従来の濾過具を示す斜視図。
【図６】従来の濾過具の使用態様を示す斜視図。
【符号の説明】
１  濾過具本体
２  帯片
２ａ  折曲部
３  載置片
３ａ  載置部、３ｂ  貼着部、３ｃ；３ｄ  折れ込み筋
４  挟持部
５  濾過袋
５ａ  袋体
６  挟持部
７  窓部
８  切欠部
９  容器
【図１】
0003639550.tif 000002
【図２】
0003639550.tif 000003
【図３】
0003639550.tif 000004
【図４】
0003639550.tif 000005
【図５】
0003639550.tif 000006
【図６】
0003639550.tif 000007